(57)【要約】内容物を収容可能な容器本体５１，５２と、容器本体の上部に設けられるノズル５４と、を有し、容器本体内に設けられるピストン５９の上昇によって、前記容器本体内に収容された内容物を、前記ノズル５４から前記内容物を吐出させる繰出し容器において、前記ノズル５４は、水平方向に延伸して、水平方向に開口する吐出口から前記内容物を水平方向に押し出し、前記ノズルが延伸している側面には、前記ノズルの延伸方向と交差する方向に突出する突起５４３が設けられている、繰出し容器。
2020054435.tif 000002
【特許請求の範囲】
【請求項１】
内容物を収容可能な容器本体と、前記容器本体の上部に設けられるノズルと、を有し、前記容器本体内に設けられるピストンの上昇によって、前記容器本体内に収容された内容物を、前記ノズルから吐出させる繰出し容器において、
前記ノズルは、水平方向に延伸して、水平方向に開口する吐出口から前記内容物を水平方向に押し出し、
前記ノズルが延伸している側面には、前記ノズルの延伸方向と交差する方向に突出する突起が設けられている
繰出し容器。
【請求項２】
前記容器本体の下方に嵌合され、前記容器本体に対して回転することによって、前記ピストンを上昇させて前記容器本体内の内容積を狭める繰出し部を備える
請求項１に記載の繰出し容器。
【請求項３】
前記容器本体は側面を有する本体筒部であり、
前記本体筒部の上方には、ヘッド部が冠着されており、
前記ノズルは前記ヘッド部と一体的に形成されている
請求項１に記載の繰出し容器。
【請求項４】
前記ノズルの外形は、前記容器本体の側面との接続部分を除いて、前記水平方向に柱状に延伸しており、前記ノズルの繰出し孔は、ノズル吐出面において上部に位置している
請求項２に記載の繰出し容器。
【請求項５】
複数の、請求項１乃至４のいずれか一項に記載の繰出し容器と、
中央に上下方向に延びる合流空間が形成された柱状体と、を備え、
前記柱状体の上面には、前記複数の繰出し容器の前記ノズルを上から嵌合可能なように、中央の前記合流空間と前記柱状体の外側面とを貫通するように複数の嵌め込み溝部が放射状に形成され、
前記柱状体の上面には、前記嵌めこみ溝部から延出する、前記ノズルの前記突起と係合可能な溝部が形成されている、
前記複数の繰出し容器から、前記複数のノズルを通って吐出された内容物は、前記合流空間で合流する
吐出装置。
【請求項６】
前記合流空間に嵌合し、前記合流空間の内側で上下に移動可能な中央ピストンが設けられており、
前記中央ピストンが受入位置にあるとき、前記合流空間に前記ノズルの吐出口が連通し、前記複数の吐出口から前記内容物が前記合流空間に流入可能な状態となり、
前記ピストンが押出位置にあるとき、前記複数の吐出口が前記中央ピストンによって閉鎖される
請求項５に記載の吐出装置。
【請求項７】
開口部が形成された吐出面を有する装置ケースを備え、
前記中央ピストンを前記押出位置から前記受入位置に移動させて、前記複数のノズルの吐出口と前記合流空間とを連通状態にして、前記内容物を前記合流空間に流入させた後、
前記中央ピストンを前記受入位置から前記押出位置に移動させることで、前記合流空間内に流入した前記内容物を前記開口部から前記吐出面の外側に押し出す
請求項６に記載の吐出装置。
【請求項８】
複数の、請求項１乃至４のいずれか一項に記載の繰出し容器と、
上部に、前記繰出し容器の同数の固定部が設けられ、下部に円筒部を有している中央支持体と、を備え、
前記複数の繰出し容器の複数のノズルは、それぞれ２つの固定部に挟まれて固定可能であり、
前記固定部の側面には、前記ノズルの前記突起と係合可能なくり抜き部が形成されており、
前記複数の繰出し容器は、前記中央支持体の円筒部の上方に、ノズルの先端近傍が隣接するように放射状に配置され、
前記複数の繰出し容器から、前記複数のノズルを通って吐出された内容物は、前記複数のノズルのノズル吐出面で取り囲まれる空間で合流する
吐出装置。
【請求項９】
前記ノズル吐出面で取り囲まれる空間に嵌合し、前記ノズル吐出面で取り囲まれる空間及び前記円筒部の内周面の内側で上下に移動可能な中央ピストンが設けられており、
前記中央ピストンが受入位置にあるとき、前記ノズル吐出面で取り囲まれる空間に前記ノズルの吐出口が連通し、前記複数の吐出口から前記内容物が前記ノズル吐出面で取り囲まれる空間に流入可能な状態となり、
前記ピストンが押出位置にあるとき、前記複数の吐出口が前記中央ピストンによって閉鎖される
請求項８に記載の吐出装置。
【請求項１０】
複数の、請求項１に記載の繰出し容器と、
上面の中央にすり鉢状の凹部を有する柱状体と、
前記凹部に沿った外側凹部が形成された吐出面を有する装置ケースと、を備え、
前記柱状体の上面には、前記複数の繰出し容器のノズルを上から嵌合可能なように、中央の前記凹部と前記柱状体の外側面とを貫通するように複数の嵌め込み溝部が放射状に形成されており、
前記吐出面には、外側凹部の側面には、前記複数のノズルが嵌合可能な、複数の嵌め込み孔が形成されており、
前記装置ケースの前記外側凹部の側面は、前記複数のノズルにおける吐出口が形成された吐出面と連続するように形成されており、
前記複数の繰出し容器から、前記複数のノズルを通って吐出された内容物は、前記外側凹部で合流する
吐出装置。
【請求項１１】
前記複数の繰出し容器に設けられる前記ピストンを上昇させるように、それぞれ駆動する複数の駆動部と、
前記駆動部によって繰り出される、前記複数の内容物の夫々の繰出し供給量を制御する制御部と、を有する
請求項５乃至１０のいずれか一項に記載の吐出装置。
【請求項１２】
請求項１１に記載の吐出装置と、
前記吐出装置とネットワークを介して接続可能な情報処理端末と、を有しており、
前記複数の内容物の吐出量を前記情報処理端末から指示可能である
カスタマイズ吐出システム。
【発明の詳細な説明】
【技術分野】
【０００１】
本発明は、繰出し容器、複数の繰出し容器を備える吐出装置、及び吐出装置を備えるカスタマイズ吐出システムに関する。
【背景技術】
【０００２】
近年、複数の化粧製品を同時に吐出させるシステムが提案されている。これらのシステムでは、複数の化粧製品の色や質感等を、都度カスタマイズして、吐出させる。【０００３】
このようなシステムの一例として、特許文献１では、上面のキャップに複数の吐出孔を形成し、複数の吐出孔それぞれから別々に吐出している。このような装置に用いられる収容部であるカートリッジでは、例えば、直線上に延伸して上に吐出している（例えば、特許文献１参照）。【０００４】
一方、複数の内容物を同時に水平方向に吐出させる構成として、複数の横向き吐出ノズルを同時に吐出させる、ポンプ式の吐出装置も提案されている（特許文献２）。
【先行技術文献】
【特許文献】
【０００５】
【特許文献１】日本国特開２０１７−５３７６９９号公報
【特許文献２】日本国特許第５８６８６７８号公報
【発明の概要】
【発明が解決しようとする課題】
【０００６】
しかし、特許文献１に用いられる複数のカートリッジは、複数の内容物が、上面の別々の吐出口（供給オリフィス）から吐出されるため、カートリッジの上方において、それぞれのカートリッジに対応する供給通路を設けた端部品が必要となるものがあった。そのため、この構成では、例えば、カートリッジを別の種類に取り換える場合は、端部品ごと取り替える必要があった。【０００７】
また、特許文献２では、ポンプ式のため、１プッシュ当たりの吐出量が固定されており、吐出量を微調整できなかった。【０００８】
そこで、本発明は上記事情に鑑み、吐出量を微調整することができるともに、水平方向に吐出して、取り付け先の装置の吐出用の開口部に対する供給路を不要にする、繰出し容器の提供を目的とする。
【課題を解決するための手段】
【０００９】
上記課題を解決するため、本発明の一態様では、
内容物を収容可能な容器本体と、前記容器本体の上部に設けられるノズルと、を有し、前記容器本体内に設けられるピストンの上昇によって、前記容器本体内に収容された内容物を、前記ノズルから吐出させる繰出し容器において、
前記ノズルは、水平方向に延伸して、水平方向に開口する吐出口から前記内容物を水平方向に押し出し、
前記ノズルが延伸している側面には、前記ノズルの延伸方向と交差する方向に突出する突起が設けられている、
繰出し容器、を提供する。
【発明の効果】
【００１０】
一態様によれば、繰出し容器において、吐出量を微調整することができるともに、水平方向に吐出して、取り付け先の装置の吐出用の開口部に対する供給路を不要にする。
【図面の簡単な説明】
【００１１】
【図１】本発明の実施形態に係る繰出し容器の外観図。
【図２Ａ】本発明の実施形態に係る繰出し容器の部分断面図。
【図２Ｂ】本発明の実施形態に係る繰出し容器の、図２Ａの状態よりもピストンを上昇させた状態を示す図である部分断面図。
【図３Ａ】図１の繰出し容器のヘッド部を示す斜視図。
【図３Ｂ】図１の繰出し容器のヘッド部を示す断面図。
【図４】本発明の変形例１の繰出し容器の部分断面図。
【図５】本発明の変形例２の繰出し容器の部分断面図。
【図６】本発明の繰出し容器が複数設けられた押出し機構の斜視図。
【図７】図６の押出し機構の上部分の拡大図。
【図８】図７の押出し機構において、繰出し容器及び中央ピストンを取り外した状態を示す図。
【図９】図７の押出し機構を有する第１実施形態の吐出装置の外観図。
【図１０Ａ】図９の吐出装置の断面図の例であって、中央ピストンが第１の位置ある状態を示す図。
【図１０Ｂ】図９の吐出装置の断面図の例であって、中央ピストンが第２の位置にある状態を示す図。
【図１１】本発明の第１実施形態の吐出装置を含むカスタマイズ吐出システムの概略図。
【図１２】図１１のカスタマイズ吐出システムの制御ブロック図。
【図１３】図１１のカスタマイズ吐出システムを使用する際の動作フローチャート。
【図１４】本発明の第２実施形態の吐出装置における押出し機構の斜視図。
【図１５】本発明の第２実施形態の吐出装置における押出し機構の斜視図。
【図１６】本発明の第２実施形態の吐出装置における押出し機構の斜視図。
【図１７】本発明の第３実施形態の吐出装置の外観図。
【図１８】本発明の第４実施形態の吐出装置の外観図。
【図１９】本発明の第５実施形態の吐出装置の使用状態を示す外観図。
【図２０Ａ】本発明の第６実施形態の吐出装置の分解斜視図。
【図２０Ｂ】本発明の第６実施形態の吐出装置の断面図。
【発明を実施するための形態】
【００１２】
以下、図面を参照して本発明を実施するための形態について説明する。下記、各図面において、同一構成部分には同一符号を付し、重複した説明を省略する場合がある。
【００１３】
本発明は、繰出し容器、複数の繰出し容器を備える吐出装置、及び、吐出装置を備えるカスタマイズ吐出システムに関する。本発明の繰出し容器には、内容物として、例えば、化粧料（基礎化粧料、ベースメイク用化粧料、ポイントメイク用化粧料）や練り香水、調味料等が収容される。
【００１４】
＜繰出し容器＞
図１は、本発明の実施形態の繰出し容器の外観図である。
【００１５】
図１に示すように、繰出し容器５は、収容ケースとしての容器本体と、容器本体に連結している繰出し部５３を備えている。
【００１６】
本実施形態では、容器本体は、側面を有する本体筒５１と、本体筒５１の上端に冠着する、ヘッド部５２で構成されている。
【００１７】
ヘッド部５２は、ノズル５４と、ヘッド基部５５（図２Ａ参照）を有する。ヘッド基部５５は、本体筒５１と同じ方向に延伸する側面と上面とを有する、キャップ状の部材である。ノズル５４は、ヘッド基部５５から水平方向に延伸して、内容物を水平方向に押し出す。本例では、図１に示すように、ノズル５４の上面が、ヘッド部５２のヘッド基部５５の上面の少なくとも一部から連続して水平方向に延伸するように形成されている。
【００１８】
繰出し部５３は、本体筒５１の下方に嵌合され、容器本体に対して回転することによって、ピストン５９（図２Ａ参照）を上昇させて容器本体内の充填領域の内容積を狭める。
【００１９】
図２Ａ，図２Ｂは、本発明の実施形態に係る繰出し容器５の部分断面図である。図２Ａ，図２Ｂにおいて、本体筒５１及びヘッド部５２は、断面図であり、繰出し部５３は斜視図である。
【００２０】
図２Ａ，図２Ｂに示すように、本体筒５１内を上下に移動可能なピストン５９が、本体筒５１の内部に設けられている。図２Ａは、ピストン５９が所定の位置にある状態、図２Ｂは、図２Ａの状態よりもピストン５９を上昇させた状態を示す図である。
【００２１】
本体筒５１におけるピストン５９よりも上の部分と、ヘッド部５２に囲まれた空間が、内容物Ｃが充填される充填領域となる。
【００２２】
ヘッド部５２において、ノズル５４には、内部にノズル通路５４１が形成されており、端部には、ノズル孔（繰出し孔）である吐出口５４２が形成されている。ヘッド基部５５は、本体筒５１に対して冠着する部分であり、側面５５Ｓ及び上面５５Ｕを有している。ヘッド部５２の、ノズル５４と、ヘッド基部５５は一体的に形成されている。
【００２３】
繰出し部５３は、操作筒５６と、移動軸５７と、回転規制部５８とを備えている。操作筒５６は、本体筒５１の下端部に相対回転自在に設けられる。移動軸５７は、本体筒５１及び操作筒５６内を挿通するように収容され、上端部は、ピストン５９と連結している。
【００２４】
回転規制部５８は、リング形状であって、本体筒５１において、径が変化する段差Ｓに嵌めこまれている。
【００２５】
移動軸５７の外周には、不図示の螺旋状の溝が形成され、回転規制部５８のリングの内周部には、不図示の係合突起が形成されており、移動軸５７が回転することで、回転規制部５８に対して、移動軸５７が上下方向に移動する。
【００２６】
詳しくは、操作筒５６が本体筒５１に対して相対回転されると、本体筒５１及び操作筒５６内に収容されている移動軸５７が回転することで回転規制部５８に対する移動軸５７の位置が上昇する。これにより、移動軸５７の先端に連結されているピストン５９が上昇することで、ヘッド部５２及び本体筒５１の充填空間の内容積を狭め、内容物Ｃが上方に押される。これにより、内容物Ｃは、ノズル通路５４１を通って、吐出口５４２の外へ、押し出される。
【００２７】
なお、本構成では、移動軸５７はピストン５９を貫通せずに、ピストン５９の下側のみに存在する。したがって、ピストン５９の上側には、移動軸５７は存在しないため、ピストン５９の上側の内容物Ｃは、移動軸５７に付着することなく、押し出すことができる。
【００２８】
また、本構成において、吐出口５４２から押し出される吐出量は、ピストン５９の上昇距離に対応しており、ピストン５９の上昇距離は、操作筒５６の回転量に対応している。そのため、操作筒５６の回転量を調整することで、吐出量（繰出し供給量）を微調整することができる。
【００２９】
図３Ａ，図３Ｂは、図１の繰出し容器５のヘッド部５２を示す図であって、図３Ａは斜視図、図３Ｂは断面図を示す。
【００３０】
図３Ａに示すように、ノズル５４が延伸している側面５４Ｓには、ノズル５４の延伸方向とは直交する方向に突出する突起５４３が設けられている。なお、本例では、突起５４３はノズル５４の延伸方向と直交する方向に突出する例を示しているが、後述するヘッド部５２の回転を規制するように、突起５４３は、柱状体２と係合可能であって、ノズル５４の延伸方向に対して角度に依らず、交差するように突出していればよい。
【００３１】
また、ノズル５４の外形は、ヘッド基部（容器本体）５５の側面５５Ｓとの接続部分を除いて、水平方向に四角柱状に延伸しており、ノズル５４の吐出口５４２は、ノズル吐出面５４Ｐにおいて上部側に位置している。
【００３２】
また、図３Ｂに示すように、ノズル５４の上面５４Ｕが、ヘッド基部５５の上面５５Ｕから連続して水平方向に延伸するように、ヘッド部５２において、ノズル５４はヘッド基部５５と一体的に形成されている。
【００３３】
＜変形例１＞
図４は、繰出し容器の変形例１である。図３Ｂでは、ヘッド部５２の上面は水平の平面形状であったが、ヘッド部の上面には、傾斜を設けてもよい。
【００３４】
本変形例の繰出し容器５αにおいて、ヘッド部５２αのヘッド基部５５αの上面は、一部には水平の平面上面部５５Ｖが設けられ、ノズル５４から離れた部分には斜面部５５Ｗが設けられている。
【００３５】
本構成においても、ヘッド部５２αにおいて、ノズル５４の上面が、ヘッド基部５５αの上面の少なくとも一部（平面上面部５５Ｖ）から連続して水平方向に延伸するように、ノズル５４はヘッド基部５５αと一体的に形成されている。
【００３６】
なお、ノズル５４は、ヘッド基部５５αと一体的に形成されていれば、ヘッド基部５５αの上面の少なくとも一部（平面上面部５５Ｖ）から連続して水平方向に延伸していなくてもよい。
【００３７】
＜変形例２＞
図５は、繰出し容器の変形例２である。図１〜図４に示す例では、繰出し容器５の容器本体は、本体筒５１とヘッド部５２とに分かれていたが、容器本体として、繰出し部５３以外の部分を一体的に形成してもよい。
【００３８】
本変形例は、繰出し容器５βにおける容器本体は、側面５１０Ｓ及び上面５１０Ｕを有する収容室５１０である。ノズル５４０の上面５４０Ｕは、収容室５１０の上面５１０Ｕの少なくとも一部から連続して水平方向に延伸するように、ノズル５４０は収容室５１０と一体的に形成されている。
【００３９】
なお、図５では、図２Ａ，図２Ｂと同様に、収容室５１０の上面５１０Ｕが平坦である例を示しているが、ヘッド部５２と本体筒５１とが一体化して構成される収容室５１０においても、図４に示すように、ノズルから離れた上面が傾斜していてもよい。
【００４０】
なお、図１〜図４に示すように、ヘッド部５２（５２α）が本体筒５１と独立した構成の場合は、本体筒５１に対してピストン５９や繰出し部５３を取りつけた後に、内容物を上から充填し、その後、ヘッド部５２（５２α）によって閉鎖する。
【００４１】
一方、図５の変形例のように、ヘッド部と本体筒が一体となって収容室５１０を構成している場合、収容室５１０に内容物Ｃを下から充填した後に、ピストン５９や繰出し部５３を、収容室５１０に対して取りつける。
【００４２】
上記の図１〜図５に示した繰出し容器５，５α，５βは、単独で使用可能である。さらに、繰出し容器５，５α，５βは図６以降に示すように、吐出装置の中で、一部品であるカートリッジとして組み込んで使用することも可能である。
【００４３】
＜押し出し機構＞
図６は、本発明の繰出し容器が複数設けられた押出し機構９の斜視図である。図７は、図６の押出し機構の上部を示す上面図である。図７では、図６に、上面に梁部１６を有する筒部ケース１２を取りつけた状態であって、繰出し容器５ｅを１つ外した状態を示している。繰出し容器５ｅは、他の繰出し容器５ａ〜５ｄと同様の構成を有するものとする。図８は、図７の押出し機構において、繰出し容器及び中央ピストンを取り外した状態を示す図である。
【００４４】
図６及び図７に示す、押出し機構９は、複数の繰出し容器５（５ａ〜５ｅ）と、中央に上下方向に延びる合流空間２１が形成された柱状体２と、を備えている。なお、図６において、柱状体２の内部は一部点線で透過して示している。図６及び図７を参照して、複数の繰出し容器５ａ〜５ｅは、ノズル５４ａ〜５４ｅが、柱状体２に係合している。
【００４５】
上述のように、ヘッド部５２において、ノズル５４とヘッド基部５５とは、一体的に形成されているため、柱状体２によってノズル５４の部分を固定することで、ヘッド部５２全体を固定できる。
【００４６】
また、ヘッド部５２と、本体筒５１とは、回転不能に固定されている。そのため、操作筒５６を回転する際、ノズル５４が固定されていることで、本体筒５１及びヘッド部５２の回転を規制できる。
【００４７】
また、繰出し容器５ａ〜５ｅは、支持板７を挟んで、モータの回転軸の上方に取り付けられている。支持板７には、繰出し容器の横ずれを規制するための筒部（嵌合筒７１ａ〜７１ｅ）が設けられており、繰出し容器５ａ〜５ｅは、支持板７に対して浮いた状態で筒部の中に固定される。
【００４８】
支持板７は、底部ケース１３の上部に取り付けられている。支持板７には、繰出し容器５ａ〜５ｅの操作筒５６を係合する、装着可能な繰出し容器の数と同数の、嵌合筒（例えば、嵌合筒７１ａ〜７１ｅ）が設けられている。支持板７の嵌合筒７１ａ〜７１ｅは、操作筒５６ａ〜５６ｅを回転可能に支持する。なお、図６では、嵌合筒７１ａ，７１ｄ，７１ｅ、及び操作筒５６ａ，５６ｄ，５６ｅを示しているが、嵌合筒７１ｂ，７１ｃ及び操作筒５６ｂ，５６ｃについても同様の構成である。なお、以後、複数の繰出し容器の識別を示すａ〜ｅは、省略して説明する場合もある。
【００４９】
また、柱状体２の合流空間２１の内側には、中央ピストン３が設けられている。中央ピストン３は、ピストン頭部３１と、大径部３２と、ピストンロッド３３とが一体化している（図９参照）。ピストンロッド３３は、中央ピストン３を上下移動させる駆動部の一部である、回転伝達筒４３の内周に係合している。
【００５０】
柱状体２には、中央に上下方向に延びる合流空間２１が形成されている（図８参照）。そして、柱状体２の上面２Ｕには、複数の繰出し容器５ａ〜５ｅのノズル５４を上から嵌合可能なように、中央の合流空間２１と柱状体２の外側面２Ｓとを貫通するように複数の嵌め込み溝部２２ａ〜２２ｅが放射状に形成されている。
【００５１】
また、本例では、繰出し容器５ａ〜５ｅのノズル５４の外形は、ヘッド基部５５の側面５５Ｓとの接続部分を除いて、水平方向に四角柱状に延伸しているため、図８に示すように、柱状体２の嵌め込み溝部２２が、角張った角溝である例を示しているが、ノズル５４の外形は、内部に形成される挿通孔が、横方向に延伸していれば、他の形状であってもよい。例えば、ノズル５４の外形は、角丸四角柱状、横向き円柱形状、横向きで下に凸の半円柱形状、横向き三角柱形状、又は横向き多角柱形状であってもよい。その場合、柱状体２に嵌め込み溝部２２の形状は、ノズル５４の外形に合わせた形状であって、角が取れたＵ溝形状、断面半円形の溝、Ｖ溝、又は断面が多角形を下半分にした形状の溝でありうる。
【００５２】
また、図７の繰出し容器５ｅが取り外された部分を参照して、柱状体２の上面には、嵌め込み溝部２２ｅから延出する、ノズル５４の突起５４３と係合可能な係合溝部２３ｅが形成されている。他の繰出し容器５ａ〜５ｄと係合する部分も同様に、柱状体２の上側には、嵌め込み溝部２２ａ〜２２ｄ及び係合溝部２３ａ〜２３ｅが形成されている。
【００５３】
また、合流空間２１の内側には、中央ピストン３が設けられている。中央ピストン３は、合流空間２１の内側を上下に移動可能である。
【００５４】
図７では、中央ピストン３が、上位置（押出位置）にある状態を示している。中央ピストン３が押出位置にあるとき、複数の繰出し容器５ａ〜５ｅの横向きのノズル５４ａ〜５４ｅのそれぞれの吐出口５４２ａ〜５４２ｅが中央ピストン３によって閉鎖されている。
【００５５】
図６、図７に示すように、中央ピストン３が第１の位置にあるとき、中央ピストン３は、柱状体２の上面２Ｕよりも上側に飛び出している。この飛出しにより、第１の位置にあるとき、中央ピストン上面は、外側ケースの上面と略同一の位置になる。
【００５６】
また、図７、図８に示すように、繰出し容器５ａ〜５ｅを取り囲む筒部ケース１２の上端付近には、梁部１６が形成されており、梁部１６には、繰出し容器５ａが挿通される穴部１７が形成されている。また、梁部１６の中央には、柱状体２を支持する支持筒１８が、設けられている。
【００５７】
ここで、図６、図７に示すように、柱状体２の溝部２２，２３の下側の部分は、ピストン頭部３１と密着する部分よりも径が大きい円筒形状の筒状部２４となっている。支持筒１８は筒状に起立しており、柱状体２の溝部２２，２３の下側の筒状部２４を、内周側から保持する。
【００５８】
＜吐出装置＞
図９は、図６の押出し機構を有する第１実施形態の吐出装置の外観図である。
【００５９】
図９に示すように、本実施形態の吐出装置１は、外容器である装置ケース１０によって囲われている。この装置ケース１０の内側には、図６に示した、複数の繰出し容器５ａ〜５ｅ、柱状体２、及び中央ピストン３を有する押出し機構９が設けられている。図９に示す例では、装置ケース１０は、頭部ケース（上部ケース）１１と、筒部ケース１２と、底部ケース１３で構成されている。本例では、装置ケース１０は、略円筒形状の例を示すが、角筒形状であってもよい。
【００６０】
頭部ケース１１は、開口部１４が形成された吐出面である上面１１Ｕを有する。また、頭部ケース１１の側面は、径が異なる円筒を段状に組み合わせた形状であって、径が小さい側面部１１Ｓには、キャップの内周と螺合な可能なように、外周部にネジ溝が形成されている。径が大きい側面部１１Ｌは、キャップの厚みに相当する分、側面部１１Ｓよりも径が大きい。
【００６１】
また、吐出面である上面１１Ｕには、開口部１４の周囲の部分はすり鉢状（受け皿状）に内側に凹んだ凹部１５が形成されている。
【００６２】
また、本実施形態では、開口部１４は、図６に示した中央ピストン３が挿通可能に設けられる。そのため、図９の例では、開口部１４と連通する、合流空間２１内に設けられる中央ピストン３の周囲と、開口部１４の径が同じ大きさである例を示す。
【００６３】
吐出装置１において、繰出し容器５ａ〜５ｅは、着脱可能であって、交換可能なカートリッジである。
【００６４】
＜吐出装置内部断面＞
図１０Ａ，図１０Ｂは、図９の吐出装置１の断面図である。図１０Ａは、中央ピストン３が第１の位置であって、例えば待機の状態を示す図であり、図１０Ｂは中央ピストン３が第２の位置にある状態を示す図である。また、図１０Ａ，図１０Ｂは、図９の吐出装置を、図７に示すＡＡ断面で切断した状態を示している。
【００６５】
図１０Ｂに示すように、装置ケース１０の内側には、合流空間２１が形成された柱状体２が設けられ、その合流空間２１には中央ピストン３が設置されている。
【００６６】
中央ピストン３は、合流空間２１の内壁２１Ｓ（図６参照）の内側に嵌り込み、図１０Ａに示す第１の位置と、その第１の位置よりも開口部１４から離間した、図１０Ｂに示す第２の位置との間で移動可能である。図６〜図９に示す中央ピストン３のピストン頭部３１は、側面３１Ｓが、合流空間２１の側面の内壁２１Ｓに密着可能な、円柱又は楕円柱形である。
【００６７】
なお、図１０Ａ，図１０Ｂは縦方向の断面図であるため、図面上では２つの手前側の繰出し容器５ｂ，５ｅが視認可能であるが、本例において、複数の収容部は図中手前や奥側にも設けられているため、図６同様、５つの繰出し容器５ａ，５ｂ，５ｃ，５ｄ，５ｅが吐出装置１内に設けられている。
【００６８】
ピストン３が図１０Ｂに示す第２の位置にあるとき、合流空間２１にノズル５４の吐出口５４２が連通し（連通状態になり）、複数の吐出口５４２ａ〜５４２ｅから内容物が合流空間２１に流入可能な状態となる。例えば、図１０Ｂでは、繰出し容器５ｂの奥に配置される繰出し容器５ａの吐出口５４２ａが開放された状態を示している。この状態では、複数の繰出し容器５ａ〜５ｅから、複数のノズル５４ａ〜５４ｅを通って、複数の吐出口５４２ａ〜５４２ｅから吐出された内容物は、合流空間２１で合流する。
【００６９】
中央ピストン３が図１０Ａに示す第１の位置にあるとき、合流空間２１において、ノズル５４ａ〜５４ｅの吐出口５４２ａ〜５４２ｅが中央ピストン３の頭部３１によって閉鎖されている。
【００７０】
吐出装置１において、吐出後及び待機状態のとき、図１０Ａに示す中央ピストン３が第１の位置にある。本実施形態では、第１の位置は、ピストン頭部３１の頂面３１Ｕは、開口部１４の開口表面１４Ｕと略同一の位置であって、図６のように、柱状体２に対して、中央ピストン３が飛び出した位置にある。
【００７１】
さらに、吐出装置１には、繰出し容器５ａ〜５ｅの下側に、押出部（回転駆動部）６ａ〜６ｅが設けられている。なお、図１０Ａ，図１０Ｂに示す繰出し容器５ｂ，５ｅにおいて、段差Ｓと一体化した回転規制部５８０の形状が図２とは異なる例を示しているが、どちらの構成を用いてもよい。また、繰出し容器５内部のピストン等の構成要素については、図１０Ａ，図１０Ｂでは、図示を省略している。
【００７２】
また、繰出し容器５の本体筒５１とヘッド部５２とは回転しないように係合されており、ヘッド部５２のノズル５４が、柱状体２の嵌め込み溝部２２と係合することで、ヘッド部５２及び本体筒５１の周方向の回転が規制されて、固定されている。
【００７３】
図１０Ａに示すように、押出部６は、駆動モータ６１と、回転軸６２と、伝達軸６３とを備えている。
【００７４】
図１０Ａに示すように、操作筒５６の下端側である尾栓部には、伝達軸６３が設けられている。伝達軸６３には駆動モータ６１の回転軸（出力軸）６２が連結されている。
【００７５】
本構成例では、押出部６のモータ６１が回転軸６２を回転駆動させると、その回転力が伝達軸６３を介して操作筒５６に伝達され、操作筒５６が固定された本体筒５１に対して相対的に回転することで、ピストン５９（図２Ｂ参照）が上昇し、水平方向に延伸するノズル５４の吐出口５４２（図１０Ｂの５４２ａ）から、内容物Ｃを中央部の合流空間２１へ押し出す。
【００７６】
なお、図１０Ａでは、操作筒５６の下端部には、操作筒５６よりも細い伝達軸６３が係合して、中心部から回転力が伝達される例を示しているが、操作筒５６の外周側に回転力を伝達する部材を設けて、操作筒５６の外周側から操作筒５６に回転力を伝達してもよい。
【００７７】
ここで、中央ピストン３の昇降動作について説明する。中央ピストン３は、中央ピストン３の下部に設けられたピストン駆動部４によって移動駆動させられる。
【００７８】
なお、本例では、開口部１４が形成された吐出面が装置ケース１０の上面１１Ｕである例を示しており、中央ピストン３は、図１０Ａに示す上方にある第１の位置と、図１０Ｂに示す下方にある第２の位置との間を上下に昇降可能である。
【００７９】
図６及び図１０Ａ，図１０Ｂを参照して、中央ピストン３は、上下方向に長く形成されており、柱状体２と接触する頭部３１、頭部３１よりも径が大きい大径部３２、及び大径部３２の下側に設けられたピストンロッド３３で構成されている。中央ピストン３の頭部３１は、柱状体２に形成された合流空間２１の内部を昇降する。
【００８０】
柱状体２において、図７、図８で視認可能な溝部２２，２３の下側は、図６で示すように上側の開口部である合流空間２１よりも径が大きくなった筒状部２４であり、その筒状部２４は、梁部１６に設けられた支持筒１８によって内周側から支持されている。
【００８１】
支持筒１８の内周部には、図１０Ｂに示すように、上下方向に延伸する突起（線状リブ）１９が設けられている。
【００８２】
また、中央ピストン３の大径部３２の外周には、上下方向に延伸する突起や、溝部、多角柱形型などにより、中央ピストン３の回転を規制する部材が設けられている。
【００８３】
梁部１６は、支持筒１８の内側にも水平方向に延伸することで、延伸した部分が抜け止め部１６Ｃとなる。
【００８４】
中央ピストン３の大径部３２の下側のピストンロッド３３は、大径部３２よりも径が小さい。例えば、ピストンロッド３３は、下端部に、複数の突起を有する雄ネジ形状である。
【００８５】
図１０Ａ，図１０Ｂの例では、ピストン駆動部４は、回転力を発生する回転モータ（位置決めギアモータ）であるピストン用モータ４１と、回転軸４２と、回転伝達筒４３とを含んでいる。
【００８６】
詳しくは、本構成例では、中央ピストン３の開口部１４から離れた下端部には、複数の突起を有する雄ネジ形状のピストンロッド３３が形成されている。回転軸４２と連結する回転伝達筒４３は、内周部に例えば、螺旋状の溝が形成されている雌ネジ形状であり、ピストンロッド３３と、ネジ係合する。
【００８７】
回転軸４２及び回転伝達筒４３は、回転モータであるピストン用モータ４１の回転力を中央ピストン３の移動力として伝達する、回転伝達体である。
【００８８】
この際、大径部３２は、支持筒１８の突起１９により回転を規制されるため、回転伝達筒４３が回転した際に、中央ピストン３が連れ回ることを制限して、ピストン用モータ４１による回転力を中央ピストン３の進退方向の移動力として伝達する。
【００８９】
なお、図１０Ａ，図１０Ｂの示す例では中央ピストン３の下部に雌ネジ形状のピストンロッド３３が設けられ、回転伝達筒４３が雌ネジであったが、ネジ状に係合すれば、ネジの雌雄は逆であってもよい。例えば、ネジ係合の雌雄を逆にして、ピストンロッド３３に螺旋溝が形成され、回転伝達筒４３の上端に、螺旋溝と係合するように係合突起を設けていてもよい。あるいは、ピストンの下側に筒状の係合部が設けられ、回転伝達体が筒状部の係合の内周側に係合する構成、即ち、係合部の筒と軸との係合を逆にする構成であってもよい。
【００９０】
また、本実施形態では、図１０Ａに示すように、中央ピストン３の周囲と、頭部ケース１１の上面の開口部１４の径が略同じ大きさであり、中央ピストン３が第１の位置にあるときは、吐出面である上面１１Ｕの凹部１５の最も低い部分の表面（開口表面）１４Ｕとピストン頭部３１の頂面（本例では上面）３１Ｕが略同一の高さになる。
【００９１】
そのため、吐出口５４２ａ〜５４２ｅから合流空間２１に吐出された複数種類の内容物は、中央ピストン３に押し出されることにより、残らず、全て吐出装置１の外に押し出すことができる。
【００９２】
詳しくは、内容物は、合流空間２１において、ピストン頭部３１の頂面３１Ｕに接触して、ピストン頭部３１の頂面３１Ｕに乗り、中央ピストン３の上昇に伴って装置ケース１０の吐出面である上面１１Ｕの位置に運ばれる。
【００９３】
したがって、吐出動作において、内容物が接触するのは、合流空間２１の内壁２１Ｓ（図６参照）と、ノズル５４の吐出面５４Ｐと、頭部ケース１１の開口部１４の内壁と、ピストン頭部３１の頂面３１Ｕとなる。ここで、合流空間２１の内壁２１Ｓ、ノズル５４の吐出面５４Ｐ、及び頭部ケース１１の開口部１４の内壁と、ピストン頭部３１の側面３１Ｓはそれぞれ密接しているため、合流空間２１への流入時に内壁２１Ｓや吐出面５４Ｐに内容物が付着したとしても、中央ピストン３の第２の位置から第１の位置への移動に伴い、付着した内容物もピストン頭部３１の頂面３１Ｕ上に集められ、頭部ケース１１の上面１１Ｕの位置へ外まで押し出される。
【００９４】
そのため、吐出動作後には、合流空間２１内部には、いずれの内容物の残らないことになるため、吐出動作後の吐出装置１内部の清掃が不要となる。
【００９５】
また、吐出動作後、中央ピストン３が図１０Ａに示す第１の位置に留まることで、ノズル５４の吐出口５４２と合流空間２１とを、中央ピストン３によって閉鎖して遮断状態にして、複数の内容物の合流空間２１への流入を阻止した状態が維持される。
【００９６】
したがって、本発明の吐出装置は、容器内部の清掃をしなくても、合流空間２１内部には、いずれの内容物も残らず、ゴミ等も堆積しないため、次の使用の際に混合比を変えて使用する場合でも、前回の内容物の混合比率状況を考慮することなく、掃除不要で、吐出動作を実行させることができる。また、吐出動作時以外は、複数の孔を有効に封鎖するため内容物の揮散を防止することができる。
【００９７】
さらに、本実施形態では、上面１１Ｕの開口部１４の径が、合流空間２１の構成する側壁部の内径と連続して、略同じ大きさに構成されている。即ち、開口部１４は、中央ピストン３の周囲径に密着可能な寸法で構成されているため、ピストン頭部３１の頂面３１Ｕに乗った内容物は、側方からの圧力を受けずに、頂面３１Ｕの上で流入時と同じ面積を維持したまま外に押し出される。
【００９８】
この構成により、使用者は、開口部１４から、合流空間２１内に吐出口５４２ａ〜５４２ｅから流入してくる内容物の動きや、中央ピストン３の動きを全て視認可能であるため、吐出装置１の吐出動作を見て楽しむことができる。
【００９９】
中央ピストン３の外周面（側面）において、中央ピストン３が第１の位置にあるときに吐出口５４２ａ〜５４２ｅと当接する部分には、吐出口の封止のために密閉性をより高めるシール部が設けられていてもよい。
【０１００】
例えば、図１０Ａ，図１０Ｂに示す例では、中央ピストン３のシール部以外の部分は、ＨＤＰＥ（High  Density  Polyethylene：硬質ポリエチレン）又はＰＰ（polypropylene：ポリプロピレン）で構成される。
【０１０１】
また、中央ピストン３におけるシール部はＮＢＲ（nitrile  rubber）、シリコンゴム、熱可塑性エラストマー（オレフィン系、スチレン系）などの軟材質によって構成されている。
【０１０２】
＜カスタマイズ吐出システム＞
図１１は、本発明の吐出装置を含むカスタマイズ吐出システムの概略図である。
【０１０３】
本発明の吐出装置１を含むカスタマイズ吐出システム１０００では、吐出装置１にネットワークを介して通信可能な外部機器である情報処理端末から、複数の内容物の配合に関する情報の指示を受けることが可能である。
【０１０４】
本実施形態において、吐出装置１と情報処理端末２００，３００とを合わせて、カスタマイズ吐出システム１０００とする。
【０１０５】
本実施形態では、吐出装置１の制御基板の一部には、通信部９７（図１２参照）が設けられており、その通信部９７は、情報処理端末であるコンピュータ２００又はスマートフォン３００と通信可能である。カスタマイズ吐出システム１０００は、吐出装置１と、コンピュータ２００又はスマートフォン３００の少なくともどちらか一方で構成されている。
【０１０６】
情報処理端末２００，３００では、例えば、予めアプリをダウンロードする等によって、吐出装置１の複数の内容物の配合に関する情報の指示を受け付ける指示受付機能を有する。したがって、使用者は、情報処理端末２００，３００に、吐出装置の吐出量（配合）に関する情報を入力する。
【０１０７】
［カスタマイズ吐出システムの制御ブロック］
図１２は、図１１のカスタマイズ吐出システム１０００の機能制御ブロック図である。
【０１０８】
カスタマイズ吐出システム１０００に含まれる吐出装置１は、ネットワークを介して通信可能な外部機器（情報処理端末２００，３００）によって送信された情報を受信する指示受付部として通信部９７が設けられている。
【０１０９】
吐出装置１の構成の一例として、複数の内容物が、色の異なる５色の化粧料である構成について説明する。本例では、５色の化粧料が、例えばポイント化粧料等で用いる、シアン、マゼンダ、イエロー、ブラック、ホワイトの化粧料である例を説明する。
【０１１０】
ピストン駆動部４の一部として、中央ピストン３の駆動のためのピストン用モータ４１が設けられている。また、各繰出し容器５ａ〜５ｅから内容物を押し出すために、押出部の駆動モータであるシアンモータ６１ａ、マゼンタモータ６１ｂ、イエローモータ６１ｃ、ブラックモータ６１ｄ、及びホワイトモータ６１ｅが、設けられている。
【０１１１】
制御部を構成する制御基板９０には、電源９１と、主制御部９２と、ピストン制御部９３と、供給制御部９４とを備える。
【０１１２】
ピストン制御部９３は、中央ピストン３を昇降させるピストン用モータ４１を駆動する。
【０１１３】
供給制御部９４は、複数の収容部から複数の供給路及び複数の流入孔を介して合流空間２１に流入させる複数の内容物の夫々の供給量を設定する制御部である。供給制御部９４は、配合・吐出量設定部９５と、パラメータ変換部９６とを有する。
【０１１４】
配合・吐出量設定部９５は、配合に関する情報の指示に基づいて、複数の内容物の配合割合を設定し、複数の内容物の夫々の供給量を設定する。
【０１１５】
パラメータ変換部９６は、設定された複数の内容物の夫々の供給量をパラメータに変換する。例えば、パラメータとして、駆動部である各色モータ６１ａ〜６１ｅの回転量や動作時間を制御することで、複数の内容物の供給量（押出移送量）を調整する。そして、設定されたパラメータに基づいて、押出移送手段である各色モータ６１ａ〜６１ｅに電力を供給する。
【０１１６】
主制御部９２は、供給制御部９４及びピストン制御部９３を動作させるタイミングを調整する。
【０１１７】
ピストン制御部９３は、情報処理端末２００，３００の操作部１０１から指示を受けた後、速やかに、ピストン用モータ４１に電力を供給し、中央ピストン３を第１の位置から第２の位置に移動させる。
【０１１８】
供給制御部９４は、中央ピストン３が第２の位置へ移動した後のタイミングで、駆動部であるモータ６１ａ〜６１ｅを駆動させて、設定された複数の内容物を合流空間２１内に供給させる。
【０１１９】
ピストン制御部９３は、設定された複数の内容物がすべて合流空間２１内に供給された後のタイミングで、ピストン用モータ４１に電力を供給し、中央ピストン３を第２の位置から第１の位置に移動させる。
【０１２０】
図１１では吐出装置１の外観のみを示しているが、本実施形態においても、図６〜図９同様の内部構成を有する。
【０１２１】
そして、吐出装置１は、情報処理端末２００，３００に入力された配合に関する情報の指示に基づいて、複数の繰出し容器から、横向きのノズル５４の吐出口５４２を介して吐出空間に流入させる複数の内容物の夫々の供給量を設定する。
【０１２２】
なお、図１１では、通信可能な吐出装置１には操作部が設けられない例を示しているが、吐出装置において、情報処理端末２００，３００からの指示に加えて、さらに手元でも操作できるように、通信可能な吐出装置に操作部がさらに設けられていてもよい。点線で示す、操作部１０１，１０２、発光部１０３，１０４、電源スイッチの機能については、図１３とともに詳述する。
【０１２３】
また、情報処理端末２００は、演算部２０１と、容器内内容物情報記憶部２０２と、表示部２０３と、指示情報記憶部２０４と、通信部２０５と、を実行可能に有している。
【０１２４】
使用者が、情報処理端末２００，３００を用いて、吐出装置１の吐出量を設定する場合、吐出装置１側で内容物の比率や吐出量を直接設定してもよい。あるいは、情報処理端末２００，３００に記憶されたアプリ（容器内内容物情報）によって、適宜場合分けされた情報の中から、完成後の情報を基に、情報処理端末２００，３００側の操作部２０７によって選択してもよい。
【０１２５】
完成後の情報を基に選択する場合は、情報処理端末２００，３００において、予め、各内容物の吐出量の比率（配合）と、混合後の完成した色味や肌感触を、容器内内容物情報記憶部２０２に予め記憶しておく。そして、その所定の比率で混合した後の色味や肌感触の情報を表示部２０３に表示させ、使用者に、混合した後の色味や肌感触の情報を基に、情報を選択させる。このように選択可能にすることで、使用者が内容物の混合の比率を検討する負荷を軽減することができる。
【０１２６】
例えば、吐出装置１の内容物として色の異なる内容物（化粧料）についてベースメイク用化粧料を作成する場合、情報処理端末２００では、例えば、混合後のオークル、ベージュ、アイボリー肌の色等の複数のモデル色を、表示部２０３で段階的に表示させる。そして、使用者がその画面上の色を選択することで、演算部２０１が選択された画像表示色に合わせて、吐出の配合を演算する。その演算された情報を通信部２０５が吐出装置１へと送信し、吐出装置１が、その情報を基にした、所定の混合比率で複数の異なる色の内容物を同時に吐出させ、使用者が混ぜ合わせることで所定の完成色となる。
【０１２７】
また、内容物として、色の異なる内容物（化粧料）について、部分メイク用化粧料を作成する場合、例えば、ルーセント（透明）、ホワイト、ピンク、レッド、パープル、ブルー、グリーン、ブラウン等の色等を夫々の色について段階的に選択することができる。この場合も、情報処理端末２００で、色味のモデル色を、表示部２０３で表示させ、その画面上の色を選択することで、演算部２０１が選択された画像表示色に合わせて、吐出の配合を演算する。
【０１２８】
上記の部分メイク用化粧料を混合して作成する場合、吐出する色を変えることで、１つの吐出装置で複数の色味を楽しむことができるとともに、色の設定を変更することで、１本で複数の用途（例えば、アイグロスとリップグロス、ハイライトとシャドーとチーク）として使用することが可能になる。
【０１２９】
なお、このように完成後の情報から選択可能な場合であっても、使用者が比率を検討し、直接比率を入力する方式も残しておいてもよい。
【０１３０】
上記では、使用者が直接又は完成した情報から混合比を選択する例を説明したが、カメラでの肌の撮影結果に応じて、自動的に演算部２０１で最適な色の配合を設定してもよい。例えば、図１２に示すスマートフォン３００に撮像部（カメラ）２０６を内蔵させ、あるいは、コンピュータ２００にカメラを取付け、撮像部２０６で肌を撮影し、撮影した写真画像内の肌の色に合わせて、完成した色を設定可能にしてもよい。
【０１３１】
例えば、ベースメイクの場合、スマートフォン３００の演算部２０１において自動的に、肌色に合わせて色を選択し混合比を演算して設定し、吐出装置１から所定の割合により混合によりその色を吐出させるようにしてもよい。あるいは、部分用メイクの場合、スマートフォン３００の演算部２０１において自動的に、肌色に適したメイク色の色味を選択して、「おすすめ」として表示部２０３に表示させ、選択可能にしてもよい。
【０１３２】
＜動作手順＞
次に、本発明のカスタマイズ吐出システム１０００における動作手順について説明する。
【０１３３】
図１３は、本発明の吐出装置を使用する際の動作フローチャートである。このフローの手順は、吐出装置１の制御基板９０又は情報処理端末２００（３００）に記憶されたプログラムによって予め設定されているものとする。
【０１３４】
図１３のステップＳ１で、使用者は、内容物の混合比を設定し、操作部２０７により入力する。本実施形態では、ネットワークによって接続された情報処理端末によって、使用者が情報を入力するが、後述するように、操作部１０１，１０２を吐出装置に設けてもよい。
【０１３５】
ステップＳ２で、情報処理端末２００（３００）の演算部２０１、又は吐出装置１の供給制御部９４は、設定された混合比に基づいて、複数種類の内容物の夫々の使用量（吐出量）を決定する。
【０１３６】
ステップＳ３で、合流空間２１において、中央ピストン３を第１の位置から第２の位置へ移動させる。即ち、中央ピストン３が、合流空間２１において、電子制御により、柱状体２の溝部２２，２３と係合したノズル５４の吐出口５４２ａ〜５４２ｅを塞ぐ位置から下降して、中央ピストン３の上端が吐出口５４２ａ〜５４２ｅを開放する位置に移動する。
【０１３７】
Ｓ３の後に、ステップＳ４で、押出部６の駆動モータ６１が駆動することで、繰出し容器５のピストン５９を上昇させて、ノズル５４の吐出口５４２から内容物を押し出す。
【０１３８】
なお、使用開始直後以降は、すでに前の使用時に送り込んだ内容物がすでに、ヘッド部５２のノズル通路５４１まで、到達している状態である。そのため、使用開始直後以外では、Ｓ３で中央ピストン３の移動により、ピストン頭部３１による閉鎖が解除されると、複数種類の内容物が、複数の吐出口５４２ａ〜５４２ｅから合流空間２１内に、すぐに流入する。
【０１３９】
この際、複数の吐出口５４２ａ〜５４２ｅから合流空間２１への流入は、複数の内容物間で同時であってもよいし、順番に１又は複数の内容物ずつ夫々のタイミングで流入してきてもよい。
【０１４０】
そして、合流空間２１に、複数種類の内容物が、設定された所定量流入すると（ステップＳ５）、ステップＳ６で、ピストン駆動部４のピストン用モータ４１が駆動して中央ピストン３を上昇させることで、合流空間２１において、ピストン頭部３１を第２の位置から第１の位置へ移動させる。
【０１４１】
ステップＳ６の中央ピストン３の移動に伴い、合流空間２１内の複数の内容物は、ピストン頭部３１の頂面３１Ｕに乗って、装置ケース１０の吐出面である上面（ケース上面）１１Ｕと同一の高さまで押し出される（ステップＳ７）。
【０１４２】
そして、使用者は、頭部ケース１１の上面１１Ｕ上で複数種類の内容物を混合した後（ステップＳ８）、混合物を使用する（ステップＳ９）。
【０１４３】
図６〜図１０Ｂに示す本実施形態では、複数種類の内容物は、混合されずに且つ合流空間２１内で圧力をほとんど受けずに、ピストン頭部３１の頂面３１Ｕに乗って装置ケース１０の上面１１Ｕと同一位置まで到達するため、使用者は、内容物を自分で混ぜる楽しみがある。この際、第１実施形態では、装置ケース１０の吐出面である上面１１Ｕには、開口部１４の周囲の部分に凹部１５が形成されているため、使用者は、凹部１５を受け皿として、押し出された複数の内容物を凹部１５の縁部よりも内側で混合すると、効率的である。
【０１４４】
また、上記フローの後、吐出装置１の外部である上面１１Ｕ上に混合物が付着していた場合は、適宜、使用者は、ティッシュ等でその付着物を拭き取るとより好適である。
【０１４５】
＜第２実施形態＞
図１４は、本発明の第２実施形態の吐出装置１Ａにおける押出し機構の斜視図である。図１５は、本発明の第２実施形態の吐出装置における押出し機構の斜視図において、繰出し容器を一つ取り外した斜視図である。
【０１４６】
本実施形態では、複数の繰出し容器５０ａ〜５０ｆは、中央支持体２Ａの円筒部２９の上方に、ノズル５４Ａの先端近傍が互いに隣接するように放射状に配置される。なお、本例では、６つの繰出し容器５０ａ〜５０ｆが吐出装置内に設けられる例を説明する。
【０１４７】
図１４及び図１５において、中央ピストン３Ａは、下位置である受入位置にある例を示している。図１４及び図１５に示すように中央ピストン３Ａが受入位置にある状態では、複数の繰出し容器から、複数のノズル５４Ａを通って吐出された内容物は、複数の吐出口５４２Ａが形成されたノズル吐出面５４ＡＰで取り囲まれる空間である合流空間で合流する。
【０１４８】
図１４、図１５に示すように、本実施形態の吐出装置１Ａでは、ノズルの先端付近が接触するように、繰出し容器が配置される。そのため、中央支持体２Ａにおいて、上部では、ノズル５４Ａの位置を固定する固定部２５ａ〜２５ｆは、中央部付近には設けられていない。
【０１４９】
また、図１５に示すように、ノズル５４Ａ同士を互いに放射状に接触して配置可能なように、ノズル５４Ａの先端側（中央側）は、上面視で先端が細くなる形状の先端部５４４である。
【０１５０】
図１６は、本発明の第２実施形態の吐出装置における押出し機構において、繰出し容器を全て取り外した斜視図である。
【０１５１】
図１６に示すように、中央支持体２Ａは、上部に、繰出し容器５０ａ〜５０ｆの同数の固定部２５が設けられ、下部に円筒部２９が設けられている。図１６において、中央ピストン３Ａは取り外しており、円筒部２９の上面付近の中央部には、中央ピストン３Ａのピストン頭部３１Ａの周囲と、ほぼ同じ大きさ外径を有する貫通部２９０が形成されている。
【０１５２】
複数の繰出し容器５０ａ〜５０ｆの複数のノズル５４Ａは、それぞれ２つの固定部２５に挟まれて固定可能であり、固定部２５ａ〜２５ｆは、下部の円筒部２９に対して、外側に張り出すように設けられている。各固定部２５は、中央端２６、くり抜き段差部（くり抜き部）２７、外周部２８を有している。
【０１５３】
中央端２６は、隣り合うノズル５４Ａが接触する直前の部分を支持している。中央支持体２Ａと係合したノズル５４Ａは、中央端２６よりも中央側に、先が細くなっている先端部５４４が飛び出しており、円筒部２９の上側の中央付近で、隣接するノズル５４Ａの先端部５４４同士が接触する。
【０１５４】
くり抜き段差部２７は、固定部２５の側面に形成された段差であって、ノズル５４Ａの突起５４３Ａと係合可能である。
【０１５５】
外周部２８は、固定部２５のくり抜き段差部２７よりも外周側であって、２つの固定部２５の外周部２８の対向する側面が、突起５４３Ａよりもヘッド部５２０のヘッド基部５５０（図１４参照）に近い側のノズル５４Ａと接触することで、ノズル５４Ａを固定する。
【０１５６】
また、本実施形態では、繰出し容器５ａ〜５ｆのノズル５４Ａの外形は、ヘッド基部５５０の側面５５０Ｓ（図１４参照）との接続部分を除いて、先端部５４４以外は水平方向に四角柱状に延伸し、先端部５４４が上面視で先細りになる形状である。そのため、図１６に示すように、中央支持体２Ａにおいて、２つの固定部２５の側面と、円筒部２９の上端２９Ｕで取り囲まれた部分が、先端部５４４以外のノズル５４Ａを取り囲んで固定する、略角溝形状の嵌め込み溝部として機能している。
【０１５７】
しかし、本実施形態においても、ノズル５４Ａの外形は、横方向に内容物を移送可能であって、隣接するノズル同士が互いに接触する先端部５４４の部分の形状が同様であれば、固定部２５ａ〜２５ｆと接触する外周側の形状は、他の形状であってもよい。
【０１５８】
例えば、ノズル５４の外周側の外形は、角丸四角柱状、横向き円柱形状、横向きで下に凸の半円柱形状、横向き三角柱形状、又は横向き多角柱形状であってもよい。その場合、中央支持体２Ａに嵌め込み溝部を構成する、２つの固定部２５の側面と、円筒部２９の上端２９Ｕで取り囲まれた部分の形状は、ノズル５４Ａの外形に合わせた形状であって、角が取れたＵ溝形状、断面半円形の溝、Ｖ溝、又は断面が多角形を下半分にした形状の溝でありうる。
【０１５９】
本実施形態においても、繰出し容器５０ａ〜５０ｆのヘッド部５２０の外側に、開口部が形成された吐出面を有する装置ケース（頭部ケース）１１（図９参照）を外側に設けてもよい。
【０１６０】
中央ピストン３Ａを押出位置（上位置）から受入位置（下位置）に移動させて、複数のノズル吐出面５４ＡＰを開放し、ノズル吐出面５４ＡＰで取り囲まれた合流空間を連通状態にして、内容物を合流空間に流入させた後、中央ピストン３Ａを受入位置から押出位置に移動させることで、合流空間内に流入した内容物を開口部から吐出面の外側に押し出す。
【０１６１】
＜第３実施形態＞
図１７は、本発明の第３実施形態の吐出装置の外観図である。
【０１６２】
本実施形態では、吐出装置１Ｂの装置ケース１０Ｂに、一例として、操作部（操作スイッチ）１０１，１０２、発光部１０３，１０４、及び電源スイッチ１０５が設けられている。
【０１６３】
図１７に示す、左側の操作部１０１は、吐出する収容物の吐出量（混合比率）を調整する。また、右側の操作部１０２では、量を調整する対象を選択し、発光部１０４は、左側の操作部１０２で量の調整する対象となる内容物の種類情報を示している。発光部１０３は、操作部１０１で選択された吐出量の選択量を示すように点灯する。図１７の例では、３段階に吐出量を選択可能な表示例を示している。
【０１６４】
なお、図１７では操作部と発光部のセットを２つ図示しているが、吐出装置１にこの操作セットを３つ以上設定してもよい。例えば、内容物毎に独立に操作部を設けてもよい。
【０１６５】
３段階に吐出量を選択する構成では、例えば、発光部１０３が何れも点灯していない場合はその内容物の「吐出無し」、１つの点灯場合は「吐出量：少」、２つ点灯の場合は「吐出量：中」、３つ点灯の場合は「吐出量：多」を示す。
【０１６６】
なお、操作部１０１，１０２の数は、吐出装置１内部の内容物の種類の数によって増減してもよい。また、操作部１０１，１０２の形状は、図１７では三角で示しているが、内容物の吐出量を操作できるものであれば他の形状であってもよい。また、選択のための操作部を、三角形の向きで示す増加、減少のそれぞれの機能用ボタンを設けているが、例えば、増加方向のみに変化する１つのボタンにまとめてもよい。
【０１６７】
また、図１７に示すボタンは、押圧可能な凸部のボタンであってもよいし、または、ケースの表面上に設けられた凹凸のないタッチセンサであってよい。あるいは、ボタン式の操作部に代えて、タッチパネルを設けてもよい。
【０１６８】
電源スイッチ１０５は、吐出装置１の電源９１をＯＮ/ＯＦＦする。
【０１６９】
＜第４実施形態＞
図１８は、本発明の第４実施形態の吐出装置の外観図である。
【０１７０】
本実施形態の吐出装置１Ｃでは、上面の吐出口が小さい点が図９とは異なる。
【０１７１】
このように本実施形態では、開口部１４Ｃの径が小さいことで、吐出される複数の種類の内容物は圧力を受けてから、吐出面である凹部１５Ｃ上に運ばれることになる。よって、本実施形態の吐出装置１Ｃでは、内容物は、若干混合されながら、押し出される。
【０１７２】
したがって、使用者は、若干混ざり合った吐出物が徐々に注出する様子を楽しむことが可能となるとともに、吐出孔である開口部１４Ｃから押し出された内容物を吐出面である凹部１５Ｃ上で混合に要する時間を減らすことができる。
【０１７３】
なお、図１８は、装置の吐出口である開口部が小さい構成であって、ネットワークを介して接続された情報処理端末により操作される例を示しているが、吐出口が小さい構成においても、図１７に示すように、吐出装置１Ｃの本体に、操作部を設けてもよい。
【０１７４】
＜第５実施形態＞
図１９は、本発明の第５実施形態の吐出装置の使用状態を示す外観図である。
【０１７５】
上述の実施形態では、吐出装置１，１Ａ，１Ｂ，１Ｃにおいて上方に吐出するように配置する例を示していたが、本発明の吐出装置において、吐出の方向は上方に限られず、図１９のように下方に吐出する構成であってもよい。
【０１７６】
図１９のように、吐出装置１Ｄにおいて下方に吐出させるように配置する場合は、備え付けのハンドウォッシュのように、使用者の手に吐出させて、手のひら上で混ぜ合わせてもよい。
【０１７７】
本実施形態では、径が小さい開口部１４Ｄが形成された吐出面が装置ケース１０Ｄの下面１１Ｄである例を示しているため、内部の中央ピストン３は下方にある第１の位置と、上方にある第２の位置との間を上下に昇降可能である。本構成では、電源をＯＦＦにしたとき、又は電源ＯＮにおいて吐出後及び待機位置にあるときは、中央ピストン３が下方の第１の位置にあり、吐出面である下面１１Ｄの表面と中央ピストン３の下面が略同一の高さになる。
【０１７８】
また、繰出し容器５ａ〜５ｅは、操作筒５６が回転することで、ピストン５９が上から下に下降して、下方に設けられたヘッド部５２のノズル５４から内容物を水平方向押し出す。
【０１７９】
ここで、吐出装置１Ｄにおいて下向きで吐出させる場合は重力を考慮して、内容物は粘度が高いものであると好ましい。また、重力を考慮して、本使用形態では上記図１８で示したように、開口部１４Ｄが連通する吐出空間の径よりも小さい構成であると好ましい。
【０１８０】
さらに、図１９で示すように下向きで吐出させる場合、開口部１４Ｄの周囲は、第１〜第４実施形態のようにすり鉢状に凹んでいる構成ではなく、下面１１Ｄから山状に突出した凸部１５Ｄであると好適である。
【０１８１】
なお、図１９は、下側に吐出する構成であって、ネットワークを介して接続された情報処理端末により操作される例を示しているが、下側に吐出する構成においても、図１７に示すように、吐出装置１Ｄの本体に、操作部を設けてもよい。
【０１８２】
図１９では、下方に吐出する構成を示しているが、吐出の方向は、上下に限られず、側方であってもよい。
【０１８３】
＜第６実施形態＞
図２０Ａ，図２０Ｂは、本発明の第６実施形態の吐出装置の説明図である。図２０Ａは上部斜視図であり、図２０Ｂは図２０ＡのＢＢ断面の側面断面図である。
【０１８４】
上記図６〜図１９では、複数の繰出し容器から吐出した内容物を、中央ピストンを用いて押し出す構成を説明したが、複数の繰出し容器を設ける吐出装置に、中央ピストンを設けなくてもよい。
【０１８５】
本構成では、柱状体２０には、上面の中央に凹部２１０が形成されている。そして、柱状体２０の上面２０Ｖには、上記の実施形態同様に、複数の繰出し容器５ａ〜５ｅのノズル５４Ｐａ〜５４Ｐｅを上から嵌合可能なように、中央の凹部２１０と柱状体２０の外側面とを貫通するように複数の嵌め込み溝部２２０が放射状に形成されている。
【０１８６】
なお、本実施形態では、繰出し容器５ａ〜５ｅのノズル５４は、柱状体２０の凹部２１０の内壁よりも内側に飛び出すように設けられる。
【０１８７】
また、本構成では、吐出装置１Ｄの頭部ケース１１０の上面には、柱状体２の凹部２１０に沿った形状の外側凹部１５０が設けられている。外側凹部１５０の側面には、ノズル５４ａ〜５４ｅの、凹部２１０から飛び出した先端部が嵌合可能な、複数の嵌め込み孔１４０ａ〜１４０ｅが形成されている。図２０Ｂでは、嵌め込み孔１４０ｂ，１５０ｃに嵌めこまれた吐出面５４Ｐｂ及び吐出口５４２ｂと、吐出面５４Ｐｃと吐出口５４２ｃとが視認可能であるが、他の繰出し容器においても同様の構成である。
【０１８８】
頭部ケース１１０の上面１１０Ｕの外側凹部１５０の側面は、ノズル５４ａ〜５４ｅにおけるノズル孔である吐出口５４２が形成された吐出面５４Ｐと連続するように形成されている。図２０Ｂでは、吐出面５４Ｐａと吐出面５４Ｐｄが、外側凹部１５０の断面と略同一面であることを示しているが、他の繰出し容器においても同様の構成である。
【０１８９】
複数の繰出し容器から、複数のノズルを通って吐出された内容物は、吐出口５４２ａ〜５４２ｅを介して、頭部ケース１１０の外側凹部１５０で合流する。そして、使用者は指やコットン、綿棒等で、外側凹部１５０に流入したその内容物をぬぐって、使用する。
【０１９０】
図２０Ａでは、柱状体２０は、図７、図８に示すピストンを取り囲む大きさの凹部が形成されている例について説明したが、図２０Ｂに示す本構成の場合は、指が挿入可能な程度に凹部２１０及び外側凹部１５０の径が広く、深さが浅いと好適である。
【０１９１】
上記では、内容物として、色の異なる内容物（化粧料）について説明したが、内容物は、例えば、触感が異なる内容物等を用いてもよい。
【０１９２】
例えば、触感が異なる内容物等を用いて基礎化粧料を吐出する場合、肌の状態、外気の気温や湿度、使用者の気分に合わせて、情報処理端末２００上で「さっぱり」、「しっとり」、「普通」、「敏感」、「美白」、「にきび対策」、「パック用」等の情報を選択することで、その選択に適した肌感触になりうる内容物の混合比を演算する。触感が異なる内容物は、粘度に影響する成分組成であり、触感が異なる内容物として、例えば、基礎成分、トロミ成分（潤い成分）、収斂成分、美白成分（ビタミンＣ等）、にきび対策成分等、異なる機能に特化した内容物を予め収容しておく。
【０１９３】
そして、その演算された情報を吐出装置１へと送信し、吐出装置１が、その情報を基にした、所定の混合比率で複数の異なる粘度（肌上の触感）の内容物を同時に吐出させる。吐出された内容物を、混ぜ合わせることで、所定の効果を奏する基礎化粧料となる。
【０１９４】
また、光の反射率が異なる内容物等を用いてベースメイク用の化粧料を吐出する場合、肌の状態、外気の気温や湿度、使用者の気分に合わせて、「ナチュラル」、「ツヤ（キラキラ）」、「マット」等を選択することで、同じ色であっても内容物の混合比を調整することで、肌に対する光の反射率が異なる化粧料を吐出させるように、適宜、選択可能にしてもよい。
【０１９５】
上記の本発明における吐出装置では、吐出空間に到達する前までは、内容物は別々に保管され、移送されるため、放置すると分離したり、劣化したりする性質の複数の内容物を、使用直前で混ぜ合わせることで、劣化や分離をせずに使用することが可能となる。上記例として、例えば、ビタミンＣ含有化粧料や、整髪剤等が想定しうる。
【０１９６】
また、上記説明では、本発明の吐出装置を、家庭において、使用者が適宜選択して使用することを想定して説明してきたが、上記吐出装置は、販売店におけるカウンターで使用しても好適である。カウンターにおいて、混合比を調整することで、来店する客の夫々の顔色や好みに応じた混合比率の内容物を都度設定することが可能になる。
【０１９７】
また、上記では内容物として、視覚的に変化を与える化粧品を例として説明したが、内容物として、液体または粘性のある香りを有するもの（香水や、練り香水としてのボディクリームやハンドクリーム等）を収容してもよい。香水又は練り香水を内容物とすることで、使用者は香りをカスタマイズすることができる。
【０１９８】
さらに、上記では内容物として、化粧品を例として説明したが、内容物として、液体または粘性のある調味料を収容してもよい。調味料を収容することで、使用者は、味をカスタマイズしたり、料理に使用する調味料の分量を、測量具を用いずに予め準備しておくこと等が可能になる。
【０１９９】
以上、本発明の好ましい実施形態について詳述したが、本発明は係る特定の実施形態に限定されるものではなく、特許請求の範囲に記載された本発明の実施形態の要旨の範囲内において、種々の変形、変更が可能である。
【０２００】
本出願は、２０１８年９月１０日に日本国特許庁に出願された特願２０１８−１６９２００号に基づく優先権を主張するものであり、特願２０１８−１６９２００号の全内容を本出願に援用する。
【符号の説明】
【０２０１】
１，１Ａ，１Ｂ，１Ｃ，１Ｄ  吐出装置
１０  装置ケース
１１，１１０  頭部ケース
１１Ｕ  上面（吐出面）
１４  開口部
１４０  嵌め込み孔
１５  凹部
１５０  外側凹部
１６  梁部
１８  支持筒
２  柱状体
２Ａ  中央支持体
２１  合流空間
２２（２２ａ，２２ｂ，２２ｃ，２２ｄ，２２ｅ）  嵌め込み溝部（溝部）
２３  係合溝部（溝部）
２４  筒状部
２５（２５ａ，２５ｂ，２５ｃ，２５ｄ，２５ｅ，２５ｆ）  固定部
２７（２７ａ，２７ｂ，２７ｃ，２７ｄ，２７ｅ，２７ｆ）  くり抜き段差部（くり抜き部）
３，３Ａ  ピストン
３１，３１Ａ  ピストン頭部（頭部）
４  ピストン駆動部（駆動部）
４１  駆動モータ
４２  回転軸
４３  回転伝達筒
５（５ａ，５ｂ，５ｃ，５ｄ，５ｅ），５α，５β  繰出し容器
５０（５０ａ，５０ｂ，５０ｃ，５０ｄ，５０ｅ，５０ｆ）  繰出し容器
５１  本体筒（容器本体）
５１０  収容室（容器本体）
５２，５２０  ヘッド部（容器本体）
５３  繰出し部
５４（５４ａ，５４ｂ，５４ｃ，５４ｄ，５４ｅ）  ノズル
５４Ｕ  ノズル上面
５４Ｓ  ノズル側面
５４Ｐ，５４ＡＰ  吐出面
５４１  ノズル通路
５４２（５４２ａ，５４２ｂ，５４２ｃ，５４２ｄ，５４２ｅ），５４２Ａ  吐出口（繰出し孔）
５４３  突起
５４４  先端部
５５，５５０  ヘッド基部
５５Ｓ，５５０Ｓ  側面
５５Ｕ  上面
５５Ｖ  平面上面部
５６  操作筒
５７  移動軸
５８  回転規制部
５９  ピストン
６  押出部
６１  駆動モータ
６２  回転軸
６３  伝達軸
７  支持板
９４  供給制御部（制御部）
２００  コンピュータ（情報処理端末）
３００  スマートフォン（情報処理端末）
Ｃ  内容物
Ｓ  段差
【図１】
2020054435.tif 000003
【図２Ａ】
2020054435.tif 000004
【図２Ｂ】
2020054435.tif 000005
【図３Ａ】
2020054435.tif 000006
【図３Ｂ】
2020054435.tif 000007
【図４】
2020054435.tif 000008
【図５】
2020054435.tif 000009
【図６】
2020054435.tif 000010
【図７】
2020054435.tif 000011
【図８】
2020054435.tif 000012
【図９】
2020054435.tif 000013
【図１０Ａ】
2020054435.tif 000014
【図１０Ｂ】
2020054435.tif 000015
【図１１】
2020054435.tif 000016
【図１２】
2020054435.tif 000017
【図１３】
2020054435.tif 000018
【図１４】
2020054435.tif 000019
【図１５】
2020054435.tif 000020
【図１６】
2020054435.tif 000021
【図１７】
2020054435.tif 000022
【図１８】
2020054435.tif 000023
【図１９】
2020054435.tif 000024
【図２０Ａ】
2020054435.tif 000025
【図２０Ｂ】
2020054435.tif 000026
【国際調査報告】
2020054435.tif 000027
2020054435.tif 000028
2020054435.tif 000029
2020054435.tif 000030